(57)【要約】      （修正有）【課題】トップパネル角度変更可能なデスクをシンプルな構造で安価に提供する。【解決手段】デスクのトップパネル２前方をデスク本体とヒンジ６にて保持し、デスク本体後方に垂直方向に設けた複数個の孔５、又はフックで垂直パネルを取り付ける。さらに、トップパネルの固定していない側を垂直パネル１に載置、垂直パネルの取り付け位置を変更することによりヒンジ基点を中心にトップパネルが回転し角度変更を可能とする。或いは、デスクのサイドパネルに水平方向に複数個の縦溝を設け、水平移動パネルを差し込み、次いでトップパネルを載置する。角度変更の際は水平パネルを水平方向に差し込み位置を変更することによりトップパネルがヒンジ基点に回転し角度を変更するようにしても良い。【選択図】図１
0003163994.tif 000002
【実用新案登録請求の範囲】
【請求項１】
（１）デスクのトップパネルの前方をデスク本体とヒンジ、或いは回転ピンにて保持し回転運動可能とし、（２）デスク後方に垂直移動パネルを設け、垂直移動パネルをサイドパネル、或いはバックパネルに設けられた複数個の取り付け孔、又は多段変更可能なフックにより、取り付け位置を変更可能とし、（３）トップパネルの固定していない側を垂直移動パネルに載置する。（４）トップパネル角度変更の際は移動垂直パネルを垂直方向に取り付け位置を変更、固定することによりトップパネルがヒンジ基点に回転運動し、トップパネルの角度を変更するパネル垂直移動によるトップパネル角度変更デスク。
【請求項２】
（１）デスクのトップパネルの前方をデスク本体とヒンジ、或いは回転ピンにて保持し回転運動可能とし、（２）デスクのサイドパネルに水平方向に複数個の縦溝を設け、（３）水平移動パネルを差し込み、次いでその上にトップパネルを載置する、（４）角度変更の際は水平パネルを水平方向に差し込み位置を変更することによりトップパネルがヒンジ基点に回転運動し、トップパネル角度を変更するパネル水平移動によるトップパネル角度変更デスク。
【請求項３】
（１）デスクのトップパネルの前方をデスク本体とヒンジ、或いは回転ピンにて保持し回転運動可能とし、（２）デスク後上方に回転パネルをヒンジ或いは回転ピンによりデスク本体と連結し、（３）トップパネル裏側に設けられた複数個のストッパーの希望位置に回転パネルを保持させる。（４）トップパネル角度変更の際はトップパネル裏に設けられた他のストッパー位置に回転パネルを回転させ保持させることによりデスクトップパネルの角度を変更するパネル回転によるトップパネル角度変更デスク。
【考案の詳細な説明】
【技術分野】
【０００１】  本考案はトップパネルの角度を変更可能なデスクに関するものである。
【背景技術】
【０００２】  従来の多くのデスクはトップパネルが固定式のためトップパネルの角度変更が不可能であり、又、一部のトップパネル角度変更可能デスクは高価である。
【考案の概要】
【考案が解決しようとする課題】
【０００３】  トップパネル角度変更可能なデスクをシンプルな構造で安価に提供することを課題とする。
【課題を解決するための手段】
【０００４】  （１）デスクのトップパネル前方をデスク本体とヒンジ、或いは回転ピンにて保持し回転運動可能とし、（２）デスク後方に垂直移動パネルをサイドパネル、或いはバックパネルに設けられた複数個の取り付け孔、又は多段変更可能なフックに取り付け、（３）トップパネルの固定していない側を垂直移動パネル上に載置、（４）角度変更の際は垂直移動パネルを垂直方向に取り付け位置の変更、固定をすることによりトップパネルがヒンジを基点に回転し、角度変更をする。（５）或いはデスクのサイドパネルに複数個の縦溝を水平方向に設け、水平移動パネルを差し込み、次いでその上にトップパネルを載置する、（６）角度変更の際は水平移動パネルを水平方向に差し込み位置の変更をすることによりトップパネルがヒンジ基点に回転、トップパネル角度を変更する。（７）又は、デスク後上方に回転パネルをヒンジ或いは回転ピンによりデスク本体と連結し、回転運動可能とし、（８）トップパネル裏側に設けられた複数個のストッパーの位置に回転パネルを保持させる、（９）角度変更の際は回転パネルをトップパネルの裏側に設けられた他のストッパーに移動保持させることにより、トップパネルがヒンジを基点に回転し、デスクトップパネルの角度変更を可能としたデスクにより問題を解決するものである。
【考案の効果】
【０００５】  上述のような方式により、デスクトップパネルの角度変更が簡単、安価に可能となる。
【図面の簡単な説明】
【０００６】
【図１】垂直移動パネルによるトップパネル角度変更デスク背面斜視図
【図２】垂直移動パネルによるトップパネル角度変更デスク断面図
【図３】水平移動パネルによるトップパネル角度変更デスク背面斜視図
【図４】水平移動パネルによるトップパネル角度変更デスク断面図
【図５】回転パネルによるトップパネル角度変更デスク背面斜視図
【図６】回転パネルによるトップパネル角度変更デスク断面図
【考案を実施するための形態】
【０００７】  上述のように垂直移動パネル、或いは水平移動パネル、又は回転パネルを移動させることにより、パネルに載置したトップパネルの角度を変更可能とする本考案のデスクを実施するための最良形態を以下図１〜図６を参照して説明する。
【実施例】
【０００８】  図１は垂直移動パネルによるトップパネル角度変更デスクデスクの背面よりの斜視図である。サイドパネル４に垂直移動パネル１を取り付ける孔５を複数個垂直方向に設けビス、ピン等により垂直移動パネル１を固定する形態を示す図である。トップパネル角度変更の際は垂直移動パネル１を別の取り付け孔に固定することにより載置されたトップパネル２がヒンジ、或いは回転ピン６を基点に回転しトップパネル２の角度が変更される。尚、バックパネル３が付属し、垂直移動パネル１の取り付け孔５がバックパネル３に付属する場合、及び垂直移動パネルが枠形状の場合も請求項１に含まれる。基点６の位置は回転ピン、ヒンジの種類によりにより差異が出るため位置は限定しない。尚、以下のデスク本体形状、バックパネル３の有無、位置等は図示に限定しない。【０００９】  図２は図１の垂直移動パネルをフックにより移動可能とするトップパネル角度変更デスクの断面を表す図である。サイドパネル４、又はバックパネル３にフック７を取り付け垂直パネル１の上下位置変更可能としたデスク本体の断面図である。尚、フック７の種類、仕様は一般市販品に見られるように多種多様であり限定するものではない。【００１０】  図３は水平移動パネルによるトップパネル２角度変更デスクの斜視図である。デスク側板４に垂直溝８、或いは垂直溝を有すパネル９を設け水平移動パネル１０の上にトップパネル２の固定していない側を載置する形態を示すデスク背面斜視図である。垂直移動パネル１０の垂直溝８への差込位置を水平方向に移動することによりトップパネル２の角度が変更される。尚、水平移動パネルが枠形状の場合、及び片側のサイドパネル４に水平移動パネル保持孔を設け水平移動パネルにピンを取り付け差し込み、片側を垂直溝８に保持させる場合も請求項２に含まれる。【００１１】  図４は図３の水平移動パネル１０によるトップパネル角度変更デスクの断面を表す図である。水平移動パネル１０を水平方向に移動させることによりトップパネル２の角度が変更される過程を説明したものである。尚、垂直溝８のサイズ、形状、深さ、位置、個数等は図示に限定しない。【００１２】図５は回転パネル１２によるトップパネル角度変更デスクの背面斜視図である。回転パネル１２はデスク本体に回転ピン、或いはヒンジにより取り付けられ、基点１３を中心として回転運動可能とする。トップパネル２の保持は図６により説明する。回転パネルが枠形状の場合も請求項３に含まれる。【００１３】  図６は回転パネル１２によるトップパネル角度変更デスクの断面図である。回転パネル１２はトップパネル２の裏側に取り付けられたストッパー１１により保持される。図示の如くトップパネル裏に取り付けられた別のストッパー位置へ回転パネル１２を移動させることによりトップパネル２の角度が変更される過程を表わす図である。尚、回転パネル１２の収納位置は図示の垂直位置に限定せず、水平位置に収納される場合もある。ストッパー１１の形状、仕様は図示に限定しない。
【符号の説明】
【００１４】  １  垂直移動パネル
２  トップパネル
３  バックパネル
４  サイドパネル
５  取り付け孔、金具
６  ヒンジ、又は回転ピン
７  フック
８  パネル移動用溝
９  溝付きパネル
１０  水平移動パネル
１１  ストッパー
１２  回転パネル
１３  回転パネル基点
【図１】
0003163994.tif 000003
【図２】
0003163994.tif 000004
【図３】
0003163994.tif 000005
【図４】
0003163994.tif 000006
【図５】
0003163994.tif 000007
【図６】
0003163994.tif 000008